(57)【特許請求の範囲】
【請求項１】
左右一対の縦枠部と上下一対の横枠部とを有する外枠と，該外枠に対して開閉自在に設けられた内枠と，該内枠に配置された遊技盤とを有するパチンコ遊技機において，
上記遊技盤は，その裏面が，上記縦枠部又は横枠部の前面よりも前方に位置することを特徴とするパチンコ遊技機。
【請求項２】
左右一対の縦枠部と上下一対の横枠部とを有する外枠と，該外枠に対して開閉自在に設けられた内枠と，該内枠に配置された遊技盤とを有するパチンコ遊技機において，
上記外枠における縦枠部又は横枠部には，前方部を切り欠いた切り欠き部が設けてあり，上記遊技盤は，上記切り欠き部の前方に位置することを特徴とするパチンコ遊技機。
【請求項３】
請求項１又は２において，上記外枠における縦枠部又は横枠部は，その内側面を切り欠いてなる薄肉部を有しており，該薄肉部の内側に形成された凹部に上記遊技盤の端部を位置させていることを特徴とするパチンコ遊技機。
【発明の詳細な説明】
【０００１】
【技術分野】
本発明は，外枠と，該外枠に対して開閉自在に設けられた内枠と，該内枠に配置された遊技盤とを有するパチンコ遊技機，特に，遊技盤の構造に関する。
【０００２】
【従来技術】
図１２に示すごとく，パチンコ遊技機９は，外枠９２と，該外枠９２に対して開閉自在に設けられた内枠９３と，該内枠９３に配置された遊技盤９４とを有して構成されている。
近年，パチンコ遊技機９の遊技機能が発達するに伴って，上記遊技盤９４を大きくする要望がある。
【０００３】
【解決しようとする課題】
しかしながら，上記パチンコ遊技機９の全体の幅，即ち外枠９２の外側寸法Ｗ３は，慣例的に５２０ｍｍとされている。そして，上記遊技盤９４は上記内枠９３に配置されており，更にこの内枠９３は上記外枠９２の内側に配置されている。そのため，上記遊技盤９４における盤面の幅の寸法Ｗ２は，外枠９２の外側寸法Ｗ３の５２０ｍｍから，該外枠９２の板厚ｔ１の約２０ｍｍ×２，及び内枠９３の占有寸法Ｗ５の約１０ｍｍ×２を差し引くと，約４６０ｍｍとなってしまう。
そのため，パチンコ遊技機９における外枠９２の外側寸法Ｗ３を，５２０ｍｍに維持した状態で，上記遊技盤９４の盤面を拡大することができる構造の開発が期待されている。
【０００４】
本発明は，かかる従来の問題点に鑑みてなされたもので，遊技盤の遊技範囲を拡大することができるパチンコ遊技機を提供しようとするものである。
【０００５】
【課題の解決手段】
参考発明は，左右一対の縦枠部と上下一対の横枠部とを有する外枠と，該外枠に対して開閉自在に設けられた内枠と，該内枠に配置された遊技盤とを有するパチンコ遊技機において，
上記遊技盤は，その盤面の一部が，上記縦枠部又は横枠部の内側面の外側に位置することを特徴とするパチンコ遊技機にある。
【０００６】
上記遊技盤は，その盤面の一部が，上記縦枠部又は横枠部の内側面の外側に位置している。つまり，本発明においては，従来のように，内枠の遊技盤配置部のすべてを外枠の内側に配置する構造はとっていない。そのため，遊技盤の幅寸法又は高さ寸法を上記パチンコ遊技機における外枠の外側寸法に近づけることができる。
それ故，本発明のパチンコ遊技機においては，遊技盤を大きくすることができると共に，遊技盤の遊技範囲を拡大することができる。
【０００７】
第１の発明は，左右一対の縦枠部と上下一対の横枠部とを有する外枠と，該外枠に対して開閉自在に設けられた内枠と，該内枠に配置された遊技盤とを有するパチンコ遊技機において，
上記遊技盤は，その裏面が，上記縦枠部又は横枠部の前面よりも前方に位置することを特徴とするパチンコ遊技機にある（請求項１）。
【０００８】
上記遊技盤は，その裏面が，上記縦枠部又は横枠部の前面よりも前方に位置している。つまり，本発明においても，遊技盤が外枠の内側寸法による制約を受けない。そのため，遊技盤の幅寸法又は高さ寸法を上記パチンコ遊技機における外枠の外側寸法に近づけることができる。
なお，本発明においては，上記遊技盤の幅寸法又は高さ寸法を従来よりも大きくすることができるが，必ずしもこの幅寸法又は高さ寸法を上記縦枠部又は横枠部の間における内側寸法以上にする必要はない。
それ故，本発明のパチンコ遊技機においても，遊技盤を大きくすることができると共に，遊技盤の遊技範囲を拡大することができる。
【０００９】
第２の発明は，上記外枠における縦枠部又は横枠部には，前方部を切り欠いた切り欠き部が設けてあり，上記遊技盤は，上記切り欠き部の前方に位置するものである（請求項２）。この場合，上記切り欠き部は，上記縦枠部又は横枠部の前方部において，上記遊技盤と対向する部分のみに設けることができ，大きくした遊技盤を容易にパチンコ遊技機に配置することができる。
【００１０】
【発明の実施の形態】
上述した各本発明における好ましい実施の形態につき説明する。
また，上記外枠における縦枠部又は横枠部は，その内側面を切り欠いてなる薄肉部を有しており，該薄肉部の内側に形成された凹部に上記遊技盤の端部を位置させることもできる（請求項３）。この場合も，大きくした遊技盤を容易にパチンコ遊技機に配置することができる。
【００１１】
【実施例】
以下に，図面を用いて本発明の実施例につき説明する。
（実施例１）
図１，図２に示すごとく，本例におけるパチンコ遊技機１は，左右一対の縦枠部２１を有する外枠２と，該外枠２に対して開閉自在に設けられた内枠３と，該内枠３に配置された遊技盤４とを有している。
また，上記遊技盤４は，その左右両側の端部４１が，上記縦枠部２１の内側面２１０の外側に位置しており，上記縦枠部２１の間における内側寸法Ｗ１以上の幅寸法Ｗ２を有している。
【００１２】
以下に，これを詳説する。
図３，図４，図５（ａ），（ｂ）に示すごとく，上記外枠２における左右一対の縦枠部２１には，前方部２０を切り欠いた切り欠き部２１１が設けてあり，上記遊技盤４は，上記切り欠き部２１１の前方に位置する。この切り欠き部２１１は，上記縦枠部２１の最前面２１３から所望の深さを有して設けられている。
また，本例においては，上記遊技盤４における左右両側の端部４１の裏面４１１が，上記切り欠き部２１１における前面である切り欠き前面２１２の前方に位置している。
【００１３】
また，上記内枠３には，この内枠３に対して開閉自在に前面扉５が設けてある。
また，図６に示すごとく，上記内枠３は外枠２に対してヒンジ部２３を中心にして開閉することができ，内枠３及び遊技盤４が外枠２に干渉しないようになっている。
【００１４】
上記遊技盤４は，上記縦枠部２１の間における内側寸法Ｗ１以上の幅寸法Ｗ２を有している。つまり，本例においては，従来のように，内枠３の遊技盤配置部３１のすべてを外枠２の内側に配置する構造はとっていない。そのため，遊技盤３の幅寸法Ｗ２を上記パチンコ遊技機１における外枠２の外側寸法Ｗ３に近づけることができる。
それ故，本例のパチンコ遊技機１においては，遊技盤４を大きくすることができると共に，遊技盤４の遊技範囲を拡大することができる。
また，上記切り欠き部２１１を設けていることにより，大きくした遊技盤４を容易に内枠３に配置することができる。
【００１５】
（実施例２）
本例は，図７，８に示すごとく，上記縦枠部２１に上記切り欠き部２１１は設けず，上記縦枠部２１の最前面２１３よりも前方に上記遊技盤４の裏面４１１が位置するようにしたパチンコ遊技機１の例である。また，本例においても，上記遊技盤４は，上記縦枠部２１の間における内側寸法Ｗ１以上の幅寸法Ｗ２を有している。その他は上記実施例１と同様である。
【００１６】
本例においても，遊技盤４が外枠２の縦枠部２１の間における内側寸法Ｗ１による制約を受けない。そのため，遊技盤４の幅寸法Ｗ２を上記パチンコ遊技機１における外枠２１の外側寸法Ｗ３に近づけることができる。
それ故，本例のパチンコ遊技機１においても，遊技盤４を大きくすることができると共に，遊技盤４の遊技範囲を拡大することができる。その他，上記実施例１と同様の作用効果を得ることができる。
【００１７】
（実施例３）
本例は，図９に示すごとく，上記外枠２における縦枠部２１の上記遊技盤４に対面する部分の上記内側寸法Ｗ４が，上記縦枠部２１の間における内側寸法Ｗ１よりも大きくなるように薄肉化したパチンコ遊技機１の例である。
具体的には，上記縦枠部２１の内側面２１４を切り欠いて薄肉部２１５を設けており，この薄肉部２１５の内側に形成された凹部２１６に上記遊技盤４の左右一対の端部４１を位置させている。その他は上記実施例１と同様である。
【００１８】
本例のパチンコ遊技機１においても，遊技盤４を大きくすることができると共に，遊技盤４の遊技範囲を拡大することができる。また，上記凹部２１６を設けていることにより，大きくした遊技盤４を容易に内枠３に配置することができる。その他，上記実施例１と同様の作用効果を得ることができる。
【００１９】
（実施例４）
本例は，図１０に示すごとく，上記外枠２における左右一対の縦枠部２１に上記切り欠き部２１１が設けてあり，上記遊技盤４がこの切り欠き部２１１の前方に位置するが，上記遊技盤４の幅寸法Ｗ２は上記縦枠部２１の間における内側寸法Ｗ１よりも若干小さいパチンコ遊技機１の例である。その他は上記実施例１と同様である。
【００２０】
本例の場合は，上記遊技盤４の幅寸法Ｗ２を必ずしも上記縦枠部２１の間における内側寸法Ｗ１よりも大きくしていない。しかしながら，上記遊技盤４を上記切り欠き部２１１の前方に位置させることにより，上記内枠３の遊技盤配置部３１の幅寸法を従来よりも大きくすることができる効果が得られ，その分，遊技盤４を従来よりも大きくすることができる。その他，上記実施例１と同様の作用効果を得ることができる。
【００２１】
（実施例５）
本例は，図１１に示すごとく，上記遊技盤４の裏面４１１が上記縦枠部２１の最前面２１３よりも前方に位置するが，上記遊技盤４の幅寸法Ｗ２は上記縦枠部２１の間における内側寸法Ｗ１よりも若干小さいパチンコ遊技機１の例である。その他は上記実施例２と同様である。
【００２２】
本例の場合も，上記遊技盤４の幅寸法Ｗ２を必ずしも上記縦枠部２１の間における内側寸法Ｗ１よりも大きくしていない。しかしながら，上記遊技盤４の裏面４１１を上記縦枠部２１の最前面２１３よりも前方に位置させることにより，上記内枠３の遊技盤配置部３１の幅寸法を従来よりも大きくすることができる効果が得られ，その分，遊技盤４を従来よりも大きくすることができる。その他，上記実施例１と同様の作用効果を得ることができる。
【００２３】
なお，上記実施例１〜５においては，上記外枠２の縦枠部２１にのみ本発明を適応したが，本発明は外枠２の横枠部に適応しても同様の作用効果が得られる。また，本発明は縦枠部２１又は横枠部のいずれかの枠部の一部に適応してもよい。
【図面の簡単な説明】
【図１】実施例１における，パチンコ遊技機を示す正面図。
【図２】実施例１における，パチンコ遊技機を示す側面図。
【図３】実施例１における，パチンコ遊技機における縦枠を示す側面図。
【図４】実施例１における，パチンコ遊技機の図１のＡ−Ａ矢視における断面図。
【図５】実施例１における，パチンコ遊技機を示す図で，（ａ）図１のＢ−Ｂ矢視における断面図，（ｂ）図１のＣ−Ｃ矢視における断面図。
【図６】実施例１における，外枠に対して内枠を開けた状態を示す断面説明図。
【図７】実施例２における，パチンコ遊技機を示す側面図。
【図８】実施例２における，パチンコ遊技機を示す図で，図１のＢ−Ｂ矢視に相当する断面図。
【図９】実施例３における，パチンコ遊技機を示す図で，図１のＢ−Ｂ矢視に相当する断面図。
【図１０】実施例４における，パチンコ遊技機を示す図で，（ａ）図１のＢ−Ｂ矢視における断面図，（ｂ）図１のＣ−Ｃ矢視における断面図。
【図１１】実施例５における，パチンコ遊技機を示す図で，図１のＢ−Ｂ矢視に相当する断面図。
【図１２】従来例における，パチンコ遊技機を示す断面図。
【符号の説明】
１．．．パチンコ遊技機，
２．．．外枠，
２１．．．縦枠部，
２１１．．．切り欠き部，
３．．．内枠，
４．．．遊技盤，
【図１】
0004890684.tif 000002
【図２】
0004890684.tif 000003
【図３】
0004890684.tif 000004
【図４】
0004890684.tif 000005
【図５】
0004890684.tif 000006
【図６】
0004890684.tif 000007
【図７】
0004890684.tif 000008
【図８】
0004890684.tif 000009
【図９】
0004890684.tif 000010
【図１０】
0004890684.tif 000011
【図１１】
0004890684.tif 000012
【図１２】
0004890684.tif 000013